(57)【要約】【課題】本発明は、重量の大きい電池パックを、充電式電動工具から分離して携行袋に収納又は作業現場に載置して接続具のコードを介して使用できるようにし、女性や老齢者の作業負担を大巾に軽減できるようにした充電式電動工具の電気接続装置を提供する。【解決手段】充電式電動工具５０の１対の給電端子５１と着脱可能に当接する１対の当接片１１と、各当接片１１と電気接続する１対の突出片１２とを設けたアタッチメント１０と、電池パック４０の１対の給電端子４１に当接する１対の当接片２１と、各当接片２１と電気接続するコンセント口２００を設けたアタッチメント２０と、アタッチメント１０とアタッチメント２０とをコード３３を介して電気接続できるようにした接続具３０とを備えたもの。【選択図】    図４
2010167510.tif 000002
【特許請求の範囲】
【請求項１】
電池パック４０を上下移動して着脱可能に装着できるようにした充電式電動工具５０において、電動工具５０内の１対の給電端子５１に、それぞれ当接する１対の当接片１１と各当接片１１と電気接続してプラグ状に突出する１対の突出片１２とを設けたものとからなる工具用アタッチメント１０と、電池パック４０の１対の給電端子４１にそれぞれ当接する１対の当接片２１と、各当接片２１と電気接続する１対の当接片２２によるコンセント口２００を形成したものとからなる電池用アタッチメント２０と、工具用アタッチメント１０の１対の突出片１２に着脱可能に挿入される１対の当接片３１によるコンセント口３００と、電池用アタッチメント２０のコンセント口２００に着脱可能に挿入されるプラグ状の１対の突出片３２を設けたものと、１対の当接片３１と１対の突出片３２とを電気接続するコード３３とからなる接続具３０とを備えて、電動工具５０を作動させるとき、電池パック４０を電動工具５０に直接装着させることなく、作業現場に載置又は携帯袋に収納した電池パック４０の１対の給電端子４１に電気接続した電池用アタッチメント２０に、接続具３０と電動工具５０に挿入した工具用アタッチメント１０を介して、電動工具５０を作動できるようにしたことを特徴とした充電式電動工具の電気接続装置。
【請求項２】
電池パック４０Ｂをスライド移動して着脱可能に装着できるようにした充電式電動工具５０Ｂにおいて、電動工具５０Ｂ内の１対の給電端子５１Ｂに、それぞれ当接する１対の当接片１１Ｂと各当接片１１Ｂと電気接続してプラグ状に突出する１対の突出片１２Ｂとを設けたものと、電動工具５０Ｂのスライド係止部５０１Ｂにスライド係止できるようにした係止部１０１Ｂと、係止部１０１Ｂを電動工具のスライド係止部５０１Ｂに固定できるようにしたねじ部１０２Ｂとからなる工具用アタッチメント１０Ｂと、電池パック４０Ｂの１対の給電端子４１Ｂにそれぞれ当接する１対の当接片２１Ｂと、各当接片２１Ｂと電気接続する１対の当接片２２Ｂによるコンセント口２００Ｂを形成したものと、電池パック４０Ｂのスライド係止部４０１Ｂにスライド係止できるようにした係止部２０１Ｂと、係止部２０１Ｂを電池パック４０Ｂの係止部４０１Ｂに固定できるようにしたねじ部２０２Ｂとからなる電池用アタッチメント２０Ｂと、工具用アタッチメント１０Ｂの１対の突出片１２Ｂに着脱可能に挿入される１対の当接片３１Ｂによるコンセント口３００と、電池用アタッチメント２０Ｂのコンセント口２００Ｂに着脱可能に挿入されるプラグ状の１対の突出片３２を設けたものと、１対の当接片３１と１対の突出片３２とを電気接続するコード３３とからなる接続具３０とを備えて、電動工具５０Ｂを作動させるとき、電池パック４０Ｂを電動工具５０Ｂに直接装着させることなく、作業現場に載置又は携帯袋に収納した電池パック４０Ｂの１対の給電端子４１Ｂに電気接続した電池用アタッチメント２０Ｂに、接続具３０と電動工具５０Ｂに挿入した工具用アタッチメント１０Ｂを介して、電動工具５０Ｂを作動できるようにしたことを特徴とした充電式電動工具の電気接続装置。
【発明の詳細な説明】
【技術分野】
【０００１】
本発明は、電池パックを着脱可能に装着できるようにした充電式電動工具において、電動工具と電池パックとを分離して使用できるようにした充電式電動工具の電気接続装置に関する。
【背景技術】
【０００２】
従来、充電式電動工具は、３６ボルト、２８．８ボルト、２５．２ボルト、２４ボルト、１８ボルト等のリチウム電池、ニカド電池、ニッケル水素電池等の電池パックを着脱可能に装着してコードレスで、穴あけ、ねじ締め、切断その他の諸作業ができる利点があるが、反面、強力な電池を搭載するので、重量が重く、特に工事用工具では女性や老齢者の作業負担が大きい欠点があった。
そこで、本発明者は、電池重量が大きく、腕力負担が大きいにも拘わらず、精密作業や天井作業や狭隘場所などの作業などが必要な場合には、一時的に電池パックを電動工具より分離して電池パックのみを携行袋に収納、又は、作業現場に載置して電池パックからコードを介して軽量になった電動工具により諸作業ができるようにし、上記問題点を解決することに成功した。
【先行技術文献】
【特許文献】
【０００３】
【特許文献１】特開２００６−３５１４７６号
【発明の概要】
【発明が解決しようとする課題】
【０００４】
本発明は、重量の大きい電池パックを充電式電動工具本体から分離して使用できるようにした充電式電動工具の電気接続装置を提供するものである。
また、本発明は、女性や老齢者が充電式電動工具を使用する作業の体力的負担を大巾に軽減できるようにした充電式電動工具の電気接続装置を提供するものである。
さらに、本発明は、小型軽量で製作費安く簡単、容易かつ安全にできるようにした充電式電動工具の電気接続装置を提供するものである。
【課題を解決するための手段】
【０００５】
本発明充電式電動工具の電気接続装置の請求項１の発明は、上記課題を達成するため、図示するように、電池パック４０を上下移動して着脱可能に装着できるようにした充電式電動工具５０において、電動工具５０内の１対の給電端子５１に、それぞれ当接する１対の当接片１１と各当接片１１と電気接続してプラグ状に突出する１対の突出片１２とを設けたものとからなる工具用アタッチメント１０と、電池パック４０の１対の給電端子４１にそれぞれ当接する１対の当接片２１と、各当接片２１と電気接続する１対の当接片２２によるコンセント口２００を形成したものとからなる電池用アタッチメント２０と、工具用アタッチメント１０の１対の突出片１２に着脱可能に挿入される１対の当接片３１によるコンセント口３００と、電池用アタッチメント２０のコンセント口２００に着脱可能に挿入されるプラグ状の１対の突出片３２を設けたものと、１対の当接片３１と１対の突出片３２とを電気接続するコード３３とからなる接続具３０とを備えて、電動工具５０を作動させるとき、電池パック４０を電動工具５０に直接装着させることなく、作業現場に載置又は携帯袋に収納した電池パック４０の１対の給電端子４１に電気接続した電池用アタッチメント２０に、接続具３０と電動工具５０に挿入した工具用アタッチメント１０を介して、電動工具５０を作動できるようにした充電式電動工具の電気接続装置である。
また、本発明充電式電動工具の電気接続装置の請求項２の発明は、上記課題を達成するため、図示するように、電池パック４０Ｂをスライド移動して着脱可能に装着できるようにした充電式電動工具５０Ｂにおいて、電動工具５０Ｂ内の１対の給電端子５１Ｂに、それぞれ当接する１対の当接片１１Ｂと各当接片１１Ｂと電気接続してプラグ状に突出する１対の突出片１２Ｂとを設けたものと、電動工具５０Ｂのスライド係止部５０１Ｂにスライド係止できるようにした係止部１０１Ｂと、係止部１０１Ｂを電動工具のスライド係止部５０１Ｂに固定できるようにしたねじ部１０２Ｂとからなる工具用アタッチメント１０Ｂと、電池パック４０Ｂの１対の給電端子４１Ｂにそれぞれ当接する１対の当接片２１Ｂと、各当接片２１Ｂと電気接続する１対の当接片２２Ｂによるコンセント口２００Ｂを形成したものと、電池パック４０Ｂのスライド係止部４０１Ｂにスライド係止できるようにした係止部２０１Ｂと、係止部２０１Ｂを電池パック４０Ｂの係止部４０１Ｂに固定できるようにしたねじ部２０２Ｂとからなる電池用アタッチメント２０Ｂと、工具用アタッチメント１０Ｂの１対の突出片１２Ｂに着脱可能に挿入される１対の当接片３１Ｂによるコンセント口３００と、電池用アタッチメント２０Ｂのコンセント口２００Ｂに着脱可能に挿入されるプラグ状の１対の突出片３２を設けたものと、１対の当接片３１と１対の突出片３２とを電気接続するコード３３とからなる接続具３０とを備えて、電動工具５０Ｂを作動させるとき、電池パック４０Ｂを電動工具５０Ｂに直接装着させることなく、作業現場に載置又は携帯袋に収納した電池パック４０Ｂの１対の給電端子４１Ｂに電気接続した電池用アタッチメント２０Ｂに、接続具３０と電動工具５０Ｂに挿入した工具用アタッチメント１０Ｂを介して、電動工具５０Ｂを作動できるようにした充電式電動工具の電気接続装置である。
本発明において、電動工具のスライド係止部は、特開２００８−１３２５５０号公報の図５に示される係止凸部２０のように一定間隔毎に形成されているものや特開２００１−３５１５９２号公報の図１に示されるように、ガイドレール５の張り出し部６のように連続的に形成されているものなどがある。
また、本発明において、電池パックのスライド係止部は、特開２００８−１３２５５０号公報の図６に示される係止溝部２９のように一定間隔毎に形成されているものや特開２００１−３５１５９２号公報のスライドレール１８のように連続的に形成されているものなどがある。
【発明の効果】
【０００６】
本発明品は、充電式電動工具から電池パックを分離して、電池パックを、腰バンドや肩バンドがけができるようにした携行袋に収納又は作業現場に載置して、電池パックと電動工具とを１対のアタッチメントと接続具のコードで連結するだけで、重量を大巾に軽減した電動工具として使用できるので、特に精密作業、天井工事、狭隘場所での作業などの場合に操作しやすい上に、女性作業員や老齢作業員の作業負担を大きく軽減できる強味がある。また、本発明品は取扱簡単で、軽量、小型、安価につく利点がある。
【図面の簡単な説明】
【０００７】
【図１−１】本発明実施例の工具用アタッチメントの斜視図である。
【図１−２】図１−１の断面図である。
【図２−１】本発明実施例の電池用アタッチメントの斜視図である。
【図２−２】図２−１の底面図である。
【図２−３】図２−１の断面図である。
【図３】本発明実施例の接続具の一部を切り欠いて示した平面図である。
【図４】本発明実施例の使用時の全体説明図である。
【図５−１】本発明の別の実施例の工具用アタッチメントの正面図である。
【図５−２】図５−１の右側面図である。
【図５−３】図５−１の断面図である。
【図５−４】図５−１の斜視図である。
【図６−１】本発明の別の実施例の電池用アタッチメントの正面図である。
【図６−２】図６−１の右側面図である。
【図６−３】図６−１の断面図である。
【図６−４】図６−１の斜視図である。
【図７】本発明の別の実施例の使用時の全体説明図である。
【発明を実施するための形態】
【０００８】
本発明実施例１及び２に本発明を実施するための最良の形態を記載した。
【実施例１】
【０００９】
本発明装置の実施例が、図１−１乃至図４に示されている。
本発明実施例の充電式電動工具の電気接続装置は、工具用アタッチメント１０と電池用アタッチメント２０と接続具３０とからなっている。
工具用アタッチメント１０は、電池パック４０を上下移動して着脱可能に装着できるようにした充電式電動工具本体５０の底面の凹部５０１に着脱可能に嵌入して装着する棒状のもので、凹部５０１の形状に合わせて嵌入できるようにした挿入部１０１と凹部５０１から突出して手で握ることができるようにした把手部１０２とからなり、挿入部１０１の両側部には、凹部５０１内の１対の給電端子５１にそれぞれ当接する１対の当接片１１が設けられ、各当接片１１と電気接続してプラグ状に突出する１対の突出片１２が把手部の１０２後端に設けられている。
工具用アタッチメント１０は、棒状の電気絶縁物であるゴム、合成樹脂製で、やや弾性があり押圧嵌入されるものが好ましい。
電池用アタッチメント２０は、電池パック４０の電極凸部の形状に合わせて嵌入できるようにした凹部２０１を設けて、凹部２０１を嵌入したとき電池パック４０の１対の給電端子４１にそれぞれ当接される１対の当接片２１が設けられると共に、各当接片２１と電気接続する１対の差込型の当接片２２によるコンセント口２００が頂部に設けられている。１対の当接片２１は、図２−３に示すような弾性金属板が好ましい。
電池用アタッチメント２０は、凹部２０１を設けた電気絶縁物であるゴム、合成樹脂からなり、やや弾性があり電池パック４０の電極凸部にやや押圧外嵌されるものが好ましい。
接続具３０は、工具用アタッチメント１０の１対の突出片１２に着脱可能に挿入される１対の差込型の当接片３１によるコンセント口３００を設けたものと、電池用アタッチメント２０のコンセント口２００に着脱可能に挿入される１対の突出片３２を設けたプラグ状のものと、１対の当接片３１と１対の突出片３２とを電気接続するコード３３とからなっている。
従って、電動工具５０を電池パック４０と分離して使用するときは、携行袋に収納した、又は、作業現場近くに載置した電池パック４０に電池用アタッチメント２０を嵌合し、工具用アタッチメント１０を電動工具５０に嵌入して、接続具３０を介して電池パック４０と電動工具５０とを電気接続すれば、電動工具５０は作動する。
【実施例２】
【００１０】
本発明装置の実施例２が、図５−１乃至図７に示されている。
本発明実施例の充電式電動工具の電気接続装置は、工具用アタッチメント１０Ｂと電池用アタッチメント２０Ｂと接続具３０とからなっている。
アタッチメント１０Ｂは、電池パック４０Ｂをスライド移動して着脱可能に装着できるようにした充電式電動工具本体５０Ｂの底部の１対のスライド係止部５０１Ｂと天面部５０２Ｂとの間に着脱可能に嵌入して係止できるようにした１対の係止部１０１Ｂと、電動工具５０Ｂの底部の１対の給電端子５１Ｂにそれぞれ当接する１対のコンセント状の差込用の当接片１１Ｂが設けられると共に、各当接片１１Ｂと電気接続してプラグ状に突出する１対の突出片１２Ｂが設けられている。また、つまみ付のねじ１０２Ｂが螺入されて電動工具５０Ｂの１対のスライド係止部５０１Ｂに嵌入した１対の係止部１０１Ｂを動かないように固定できるようにしている。
電池用アタッチメント２０Ｂは、電池パック４０Ｂの１対の給電端子４１Ｂにそれぞれ当接される１対の当接片２１Ｂが設けられると共に、各当接片２１Ｂと電気接続する１対の差込用の当接片２２Ｂによるコンセント口２００Ｂが設けられている。
また、１対の係止片２０１Ｂが設けられ、電動工具５０Ｂの１対のスライド係止部５０１Ｂにスライド係止できるようにした電池パック４０Ｂの１対のスライド係止部４０１Ｂに嵌入され、また、つまみ付のねじ部２０２Ｂの螺入により、スライド係止部４０１Ｂに嵌入した係止部２０１Ｂを動かないように固定できるように設けている。
接続具３０は、実施例１と同一のもので、工具用アタッチメント１０Ｂの１対の突出片１２Ｂに着脱可能に挿入される１対の差込型の当接片３１によるコンセント口３００を設けたものと、電池用アタッチメント２０Ｂのコンセント口２００Ｂに着脱可能に挿入される１対の突出片３２を設けたプラグ状のものと、１対の当接片３１と１対の突出片３２とを電気接続するコード３３とからなる。
従って、電動工具５０Ｂを電池パック４０Ｂと分離して使用するときは、携行袋に収納した、又は、作業現場近くに載置した電池パック４０Ｂにアタッチメント２０Ｂを嵌入し、アタッチメント１０を電動工具５０に嵌入して、接続具３０を介して電池パック４０と電動工具５０Ｂとを電気接続すれば、電動工具５０Ｂは作動する。
【産業上の利用可能性】
【００１１】
本発明品は、小型、軽量、安価で量産できる。
【符号の説明】
【００１２】
１０、１０Ｂ          工具用アタッチメント
１０１Ｂ              工具用アタッチメントの係止部
１０２Ｂ              工具用アタッチメントのねじ部
１１、１１Ｂ          工具用アタッチメントの当接片
１２、１２Ｂ          工具用アタッチメントの突出片
２０、２０Ｂ          電池用アタッチメント
２００、２００Ｂ      電池用アタッチメントのコンセント口
２０１Ｂ              電池用アタッチメントの係止部
２０２Ｂ              電池用アタッチメントのねじ部
２１、２１Ｂ          電池用アタッチメントの当接片
２２、２２Ｂ          電池用アタッチメントの当接片
３０                  接続具  
３００                接続具のコンセント口
３１                  接続具の当接片
３２                  接続具の突出片
３３                  接続具のコード
４０、４０Ｂ          電池パック
４０１Ｂ              電池パックのスライド係止部
４１、４１Ｂ          電池パックの給電端子
５０、５０Ｂ          充電式電動工具
５０１Ｂ              充電式電動工具のスライド係止部
５１、５１Ｂ          電動工具の給電端子
【図１−１】
2010167510.tif 000003
【図１−２】
2010167510.tif 000004
【図２−１】
2010167510.tif 000005
【図２−２】
2010167510.tif 000006
【図２−３】
2010167510.tif 000007
【図３】
2010167510.tif 000008
【図４】
2010167510.tif 000009
【図５−１】
2010167510.tif 000010
【図５−２】
2010167510.tif 000011
【図５−３】
2010167510.tif 000012
【図５−４】
2010167510.tif 000013
【図６−１】
2010167510.tif 000014
【図６−２】
2010167510.tif 000015
【図６−３】
2010167510.tif 000016
【図６−４】
2010167510.tif 000017
【図７】
2010167510.tif 000018